(57)【要約】【課題】操作パネルとハウジングとの接合部分を膨出させることなく、簡単な構成で毛細管現象による水浸入を防止する。【解決手段】操作パネル（１１２）の開口部（１１２ａ）の一端部に、内面側を切り欠いて形成した第１段部（２１２ａ）を有する第１接合壁部（２１２）を設ける一方、ハウジング（１１１）の収容部（１１１ａ）の一端部に、外面側を切り欠いて形成した第２段部（３１２ａ）を有する第２接合壁部（３１２）を設け、操作パネル（１１２）の第１接合壁部（２１２）とハウジング（１１１）の第２接合壁部（３１２）を互いに嵌合することにより、ハウジング（１１１）の内面側で対向する第１接合部（４１３）と、ハウジング（１１１）の外面側で対向する第２接合部（４１２）に、それぞれ隙間部（２１３、３１３）を設けた。【選択図】図３
2010126006.tif 000002
【特許請求の範囲】
【請求項１】
意匠面に操作部材が配設され、背面側に開口部を有する操作パネルと、
前記操作部材によって操作される制御機器を搭載した回路基板と、
前面側が開口し、前記回路基板が収容される収容部を有するハウジングと、
前記ハウジングの収容部を覆うように前記操作パネルを嵌合することにより、前記回路基板への被水を防止したコントロール操作装置の防水構造であって、
前記操作パネルの開口部の一端部に、内面側を切り欠いて形成した第１段部を有する第１接合壁部を設ける一方、
前記ハウジングの収容部の一端部に、外面側を切り欠いて形成した第２段部を有する第２接合壁部を設け、
前記操作パネルの第１接合壁部と前記ハウジングの前記第２接合壁部を互いに嵌合することにより、前記第１接合壁部の第１段部と前記第２接合壁部の先端部とが前記ハウジングの内面側で対向する第１接合部と、前記第２接合壁部の第２段部と前記第１接合壁部の先端部とが前記ハウジングの外面側で対向する第２接合部に、それぞれ隙間部を設けるようにしたことを特徴とするコントロール操作装置の防水構造。
【請求項２】
前記ハウジングに前記操作パネルを嵌合したときに、前記操作パネルの外面部と前記ハウジングの外面部とが面一となるように前記第１段部と前記第２段部を形成したことを特徴とする請求項１に記載のコントロール操作装置の防水構造。
【請求項３】
前記ハウジングに対する前記操作パネルの組付方向の位置決めを行なう固定部を前記操作パネルと前記ハウジングの内部にそれぞれ設けたことを特徴とする請求項１又は２に記載のコントロール操作装置の防水構造。
【請求項４】
前記ハウジングの第２接合壁部に形成された第２段部を前記操作パネルの組付方向にしたがって、内面側から外面側へ傾斜する傾斜部としたことを特徴とする請求項１から３のいずれかに記載のコントロール操作装置の防水構造。
【請求項５】
前記ハウジングの傾斜部の一部に前記操作パネルの外面部と面一となるガイドリブを設けたことを特徴とする請求項４に記載のコントロール操作装置の防水構造。
【発明の詳細な説明】
【技術分野】
【０００１】
本発明は、自動車等の車両室内インストメントパネル等に取り付けられるコントロール操作装置の防水構造に関する。
【背景技術】
【０００２】
従来、自動車の車両室内のインストメントパネル等には、冷暖房の温度や風量を調整するコントロール操作装置が取り付けられている。このようなコントロール操作装置は、操作パネルを前面側に有するボックス状のハウジングと、操作パネル上で回転自在に配置される回転操作部材と、この回転操作部材により操作されるスイッチ装置などが搭載された回路基板がハウジング内に収容された構成となっている。
【０００３】
このようなコントロール操作装置が乗用車に搭載される場合には、密閉性の高い車両室内のインストメントパネルの中央付近に配置されるため、雨水にさらされる恐れは少ない。一方、乗用車に比べて建設機械、農業機械等のキャビンは、扉が大きく密閉性が低いため、車外に露出された状態に近い状態となり、雨水の影響を受けやすくなる。したがって、操作パネルをハウジングに嵌合することにより形成される接合部分から水が浸入し、電子部品がショートする等の不具合が発生することが予想される。
【０００４】
そこで、上記のような作業用車両に設置されるコントロール操作装置には、その接合部分に防水構造を施す必要がある。一般的な防水構造としては、接合部分に防水用のゴムパッキンを装着したり、水の浸入経路となる隙間を完全に塞ぐように樹脂によるコーティングが行なわれている。しかし、操作パネル以外のコントロール操作装置の大部分は、インストメントパネル内に収容され、直接雨水を受けることはないため、コスト面を考慮すると、前述したような防水構造とすることは好ましいものではない。
【０００５】
一方、ゴムパッキン等を用いることのない箱体の防水構造として、例えば特許文献２に示すような箱体の防水構造が提案されている。この防水構造では、蓋体の固定板と嵌合する嵌合部は、固定板の内壁に対向して接触する第１壁面、及び固定板の外壁に対向して接触する第２壁面を有して構成されており、両壁面は鉛直下方側に向けて延びている。また、固定板の外壁に段付き部が形成され、一方、第２壁面にも段付き部に沿うように段付き部が形成されている。そして、段付き部の先端部には、外壁と第２壁面とを離隔させて所定の空隙を構成する面取り部が形成されている。このように接合面の一部に比較的大きな空隙を設け、毛細管現象が発生し難くい構成として、蓋体と固定板との接合面の僅かな微小隙間を伝わって毛細管現象により水が箱体内に浸入してしまうことを防止する構造となっている。
【０００６】
しかしながら、このような従来の構成では、蓋体の第１壁面と第２壁面の間に固定板が挿入されるようになっており、さらに段付き部に空隙を形成した防水構造となっているため、箱体の一部が膨出した構造となってしまう。そのため、インストメントパネルに取り付けるようなコントロール操作装置の構造とした場合には、取付側となるインストメントパネル側に箱体形状を考慮した取付構造を設ける必要がある。また、箱体をインストメントパネルに組み付ける場合に、膨出した部分が引っ掛からないように注意しながら組み付けなければならなくなるため、好ましいものではない。
【０００７】
【特許文献１】実開平０３−１２１０１１号公報
【特許文献２】特開２０００−５０４６０号公報
【発明の開示】
【発明が解決しようとする課題】
【０００８】
本発明の目的は、操作パネルとハウジングの嵌合部分の構造を複雑にすることなく、毛細管現象による水浸入を防止することのできるコントロール操作装置の防水構造を提供することにある。
【課題を解決するための手段】
【０００９】
上記した課題を解決するため、本発明のコントロール操作装置の防水構造は、意匠面に操作部材が配設され、背面側に開口部を有する操作パネルと、前記操作部材によって操作される制御機器を搭載した回路基板と、前面側が開口し、前記回路基板が収容される収容部を有するハウジングと、前記ハウジングの収容部を覆うように前記操作パネルを嵌合することにより、前記回路基板への被水を防止したコントロール操作装置の防水構造であって、前記操作パネルの開口部の一端部に、内面側を切り欠いて形成した第１段部を有する第１接合壁部を設ける一方、前記ハウジングの収容部の一端部に、外面側を切り欠いて形成した第２段部を有する第２接合壁部を設け、前記操作パネルの第１接合壁部と前記ハウジングの前記第２接合壁部を互いに嵌合することにより、前記第１接合壁部の第１段部と前記第２接合壁部の先端部とが前記ハウジングの内面側で対向する第１接合部と、前記第２接合壁部の第２段部と前記第１接合壁部の先端部とが前記ハウジングの外面側で対向する第２接合部に、それぞれ隙間部を設けるようにしたことを特徴としている。
【００１０】
このように構成することによって、操作パネルとハウジングの嵌合構造を複雑にすることなく、簡単な構成で確実に毛細管現象による水浸入を確実に防止することができる防水構造とすることができる。
【００１１】
さらに、前記ハウジングに前記操作パネルを嵌合したときに、前記操作パネルの外面部と前記ハウジングの外面部とが面一となるように前記第１段部と前記第２段部を形成することが好ましい。
【００１２】
このように構成することによって、操作パネルとハウジングの嵌合部分が外側に膨出することを防止することができるので、インストルメントパネルにおけるコントロール操作装置の組付構造を特別な構成とする必要がない。
【００１３】
前記ハウジングに対する前記操作パネルの組付方向の位置決めを行なう固定部を前記操作パネルと前記ハウジングの内部にそれぞれ設けることが好ましい。
【００１４】
このように構成することにより、操作パネルとハウジングを一体的に固定する固定部を段部や接合壁部に設ける必要がないため、嵌合部分を外部に膨出させることなく、隙間部をコントロール操作装置の全周に形成することができる。
【００１５】
前記ハウジングの第２接合壁部に形成された第２段部を前記操作パネルの組付方向にしたがって、内面側から外面側へ傾斜する傾斜部として形成してもよい。
【００１６】
このように段部を傾斜部とすることにより、外面側に形成される隙間部を広げることができる。また、傾斜部を操作パネル側から水が流れてくる方向に対して傾斜させているので、水が隙間部に溜まることを防止することができ、毛細管現象により水が内部に浸入する可能性を極めて低くすることができる。
【００１７】
さらに前記ハウジングの傾斜部の一部に前記操作パネルの外面部と面一となるガイドリブを設けた構成としてもよい。
【００１８】
このようなガイドリブを設けることにより、コントロール操作装置をインストメントパネル等に取り付けるときの引っ掛かりを無くすことができる。
【発明の効果】
【００１９】
本発明によれば、操作パネルとハウジングとの嵌合部分を膨出させることなく、簡単な構成で毛細管現象による水浸入を防止することのできるコントロール操作装置の防水構造を構成することができる。
【発明を実施するための最良の形態】
【００２０】
本発明の第１の実施形態を図１ないし図５に基づいて説明する。本実施形態は、建設機械や農業機械の冷暖房の温度や風量を調整するコントロール操作装置１０１への適用例である。
【００２１】
図１は、コントロール操作装置１０１を示す外観斜視図であり、図２は、図１の分解斜視図であり、図３は、インストメントパネルに取り付けられた状態における温度調節用の操作ノブを有する回転操作部材が配設された本発明に係るコントロール操作装置の一側面側の一部断面図、図４は、図３おける操作パネルとハウジングとの組付方向の位置決め構造に係る部分の拡大図である。
コントロール操作装置１０１は、ハウジング１１１を主体に構成されている。ハウジング１１１は、インストルメントパネルやインストメントパネル等に嵌め込み可能な直方体状に形成されている。図２に示すように、ハウジング１１１の一面側には、一面側が矩形に開口した箱状の収容部１１１ａが形成されている。この収容部１１１ａの他面側の底面部には、後述する回路基板２００を搭載可能な台座部１１１ｂが開口側に向けて突出するように設けられている。この台座部１１１ｂには、後述する操作パネル１１２のネジ止め部１１２ｂと対向する位置に設けられたネジ孔１１１ｃ、回路基板２００の裏面側に当接する保持用凸状部１１１ｄ及び回路基板２００に係合する位置決め用凸状部１１１ｅが設けられている。
【００２２】
前記ハウジング１１１の前面側には、収容部１１１ａを覆うように操作パネル１１２が取り付けられる。この操作パネル１１２は、ハウジング１１１がインストメントパネル３００に取り付けられた際に外部に露出する意匠面１１３が一面側に形成されている。意匠面１１３の中央位置には、後述する回路基板２００に配置されたエアコンスイッチ２１４をオンオフ操作するためのプッシュノブ１１４が押圧操作可能に配設され、そのプッシュノブ１１４の両側位置に、温度調節用の操作ノブ１５２を有する回転操作部材１５１と、ファン調節用操作ノブ１９２を有する回転操作部材１９１とが回転操作可能に配置されている。
【００２３】
図３に示すように、この意匠面１１３には、防水用フィルム１１３ａが貼付されており、プッシュノブ１１４は、この防水用フィルム１１３ａに覆われるように操作パネル１１２内にスライド移動可能に収容されている。そのため、プッシュノブ１１４と操作パネル１１２との間の隙間からは、水が入らない防水構造となっている。さらに防水フィルム１１３ａは透過性の透明フィルムに着色して構成されており、プッシュノブ１１４、温度調節用の操作ノブ１５２及びファン調節用操作ノブ１９２の指標部４０１、４０２、４０３の部分は、回路基板２００に設けられた光源２０１からの光を透過するように操作パネル１１２に導光孔１１２ｄが形成されている。
【００２４】
操作パネル１１２の意匠面１１３の外周縁１１３ｂは、鍔状に突出するように形成されており、先端側が屈曲して操作パネル１１２がインストメントパネル３００に取り付けられることにより、インストメントパネル３００の表面部と外周縁１１３ｂの先端が接触し、インストメントパネル３００の操作パネル取付口３０１と操作パネル１１２の側壁２１１との間の隙間を覆い、ハウジング１１１の側面などには、直接的に被水しないように構成されている。
なお、操作パネル１１２の背面側は開口した開口部１１２ａが形成されており、ハウジング１１１の収容部１１１ａを覆うように開口部１１２ａが嵌合するように構成されている。
また、操作パネル１１２の横幅方向に形成される側壁２１１ｂには、インストメントパネル３００の操作パネル取付口３０１の開口縁と係合する係合爪用クリップ５００が設けられている。この係合爪用クリップ５００により、コントロール操作装置１０１がインストメントパネル３００の操作パネル取付口３０１から脱落することなく嵌合される。
【００２５】
温度調節用の操作ノブ１５２は、コントロール操作装置１０１に回転自在に軸支された回転操作部材１５１の前面側に突出して設けられ、ファン調節用操作ノブ１９２も、ケース１１１に回転自在に軸支されたファン調節用回転操作部材１９１の前面側に突出して設けられている。以下、ファン調節用回転操作部材１９１と温度調節用回転操作部材１５１とは同様の構成であるため、温度調節用の操作ノブ１５２を有する回転操作部材１５１が配設された一側面側の構成について説明する。
【００２６】
まず、図２及び図３に示すように、操作パネル１１２の意匠面１１３側には円筒状のガイドリブ１１８が突出形成されている。ガイドリブ１１８は、意匠面１１３よりも高く突出され、このガイドリブ１１８の内周に後述する操作ノブ１５２の軸部１５３が挿通する開口部１１６が形成されている。さらにガイドリブ１１８の外周には、ガイドリブ１１８の外周に沿って円形状の溝部１１９が、意匠面１１３よりも低く窪むように形成されている。
【００２７】
この操作パネル１１２の意匠面１１３に形成された円形状の開口部１１６に挿入される回転操作部材１５１は、操作ノブ１５２の他に、ハウジング１１１の内部に配置される軸部１５３を有しており、ハウジング１１１の内部で回転自在に配設される後述する制御機器としてのボリュームスイッチ１１７に接続し、回路基板２００を介してハウジング１１１に取り付けられる。これにより、回転操作部材１５１は操作パネル１１２の意匠面１１３上で回転自在に軸支された状態となる。
なお、本実施形態では、ファン調節用回転操作部材１９１は、操作パネル１１２に直接取り付けられる制御機器としてのファンスイッチ（ロータリースイッチ）４００に接続し、操作パネル１１２を介してハウジング１１１に取り付けられている。
【００２８】
また、回転操作部材１５１には、操作ノブ１５２の回転操作時にクリック感を与えるためのクリック部材１５５が設けられている。クリック部材１５５は、軸部１５３の側部に開口形成された側孔１５６に圧縮バネ１５７を介して挿入されている。このクリック部材１５５に対応して、前記した操作パネル１１２のガイドリブ１１８の内周面には、複数個の凹状のクリック溝１２０（図２）が設けられている。これにより、回転操作部材１５１の回転操作に際して、圧縮バネ１５７によって押圧されるクリック部材１５５がクリック溝１２０に係合することによって位置決めされる。そして、係合しているクリック溝１２０を離脱して隣接するクリック溝１２０に係合することによって、クリック感が与えられるようになっている。
【００２９】
図３に示すように、回転操作部材１５１がボリュームスイッチ１１７に接続された状態では、操作ノブ１５２の裏面側の一部が溝部１１９に入り込む。このような溝部１１９に入り込む回転操作部材１５１の一部を、以下、縁部１６１と呼ぶ。縁部１６１は、溝部１１９と同様に、円形状に形成されている。溝部１１９に入り込んだ縁部１６１は、ガイドリブ１１８の外周を覆う。そして、本実施形態では、ガイドリブ１１８の外周面と縁部１６１の内周面との間には、リング状の防水部材１７１が配設されている。
【００３０】
この防水部材１７１は、断面Ｖ字型の溝であるＶ字溝１７１ｂを有する断面Ｖ字型に屈曲されたリング状の部材である。この防水部材１７１は、外力が付与されると、Ｖ字溝１７１ｂが閉じるようして、屈曲部１７１ａを支点として外周面１７１ｃが撓むように構成されているため、たわみ荷重を小さくすることができるので、操作ノブ１５２の操作力を軽くすることができる。
【００３１】
ハウジング１１１内に収容される回路基板２００は、収容部１１１ａに設けられた位置決め用凸状部１１１ｅに係合して位置決めされ、操作パネル１１２のネジ止め部１１２ｂと台座部１１１ｂに挟み込まれて、ネジ孔１１１ｃからを回路基板２００の貫通孔２００ｃ介して、操作パネル１１２のネジ止め部１１２ｂに形成されたネジ取付穴１１２ｃにネジが累合させて、ネジ止めによって操作パネル１１２とともに収容部１１１ａ内に固定される。つまり、図４に示すように、この操作パネル１１２のネジ止め部１１２ｂとハウジング１１１の台座部１１１ｂが、組付方向で回路基板２００を介して当接することにより、ハウジング１１１に対する操作パネル１１２の固定位置が決められる。そして、ネジ孔１１１ｃを介してネジ止め部１１２ｂにネジを累合することによって、操作パネル１１２は、ハウジング１１１に固定される。なお、本実施形態では、回路基板２００を操作パネル１１２のネジ止め部１１２ｂとハウジング１１１の台座部１１１ｂとの間に挟みこむようにしているが、回路基板２００の固定構造を別に設け、直接操作パネル１１２のネジ止め部１１２ｂとハウジング１１１の台座部１１１ｂを当接させるようにしてもよい。
【００３２】
回路基板２００には、上記した回転操作部材１５１が接続される回転自在に軸支された外軸１１７ｂを有するスイッチ本体１１７ａで構成されたボリュームスイッチ１１７が搭載されている。また、ボリュームスイッチ１１７の他に、エアコンスイッチであるタクトスイッチ２１４、各指標部４０１、４０２、４０３を照明するための光源２０１（本実施形態では３つ）、エアコンスイッチ２１４のオン状態を示すＬＥＤ２０２が搭載されており、これらの搭載部品は、図示しない回路パターンによって、回路基板２００の裏面側に固定された図示しないコネクタ部を介して外部のコントローラー等に接続されるようになっている。なお、前述したように、この回路基板２００をハウジング１１１に取り付けるための、ハウジング１１１のねじ孔１１１ｃに対応する貫通孔２００ｃや、位置決め用凸状部１１１ｅに対応する位置決め孔２００ｅが設けられている。
【００３３】
図５（ａ）は、図３におけるコントロール操作装置１０１の操作パネル１１２とハウジング１１１を嵌合させた状態の接合部を拡大して示す一部断面図、図５（ｂ）は操作パネル１１２とハウジング１１１を嵌合させる前の状態を示す一部断面図である。図５に示すように、操作パネル１１２の開口部１１２ａの下端部に、内面側を切り欠いて形成した第１段部２１２ａを有する第１接合壁部２１２が開口部１１２ａの内面全周に形成されている。一方、ハウジング１１１の収容部１１１ａの上端部に、外面全周を切り欠いて形成した第２段部３１２ａを有する第２接合壁部３１２が形成されている。このように第１段部２１２ａと第２段部３１２ａを形成することにより、ハウジング１１１に操作パネル１１２を嵌合することができるように構成される。
【００３４】
また、ハウジング１１１に操作パネル１１２を嵌合させた状態とすると、操作パネル１１２のネジ止め部１１２ｂとハウジング１１１の台座部１１１ｂが回路基板２００を介して当接して位置決めされる（図４）ため、第１接合壁部２１２の第１段部２１２ａと第２接合壁部３１２の先端部３１２ｂとの間の第１接合部４１３に内側隙間部２１３が形成され、第１接合壁部２１２の先端部２１２ｂと第２接合壁部３１２第２段部３１２ａとの間の第２接合部４１２に外側隙間部３１３が形成される。また、第１接合壁部２１２の内面部と第２接合壁部３１２の外面部は、幅方向で隙間なく面接触して嵌合する構成となっている。
【００３５】
また、操作パネル１１２の開口部１１２ａの一端部（開口端）に内面側を切り欠いて形成した第１段部２１２ａを有する第１接合壁部２１２を設けるとともに、ハウジング１１１の収容部１１１ａの一端部（開口端）に外面側を切り欠いて形成した第２段部３１２ａを有する第２接合壁部３１２を設け、ハウジング１１１の収容部１１１ａを覆うように操作パネル１１２の開口部１１２ａを嵌合することにより、外面側に形成される外側隙間部３１３を内面側に形成される内側隙間部２１３よりも、インストメントパネル３００に対して離れたハウジング１１１の後部側（図５（ａ）において下側）に位置するように構成されている。そのため、インストメントパネル３００と操作パネル１１２の外周縁１１３ｂとの隙間から浸入してくる水の進行方向に対して、第１接合壁部２１２と第２接合壁部３１２の接触面が形成されない構造となっている。
【００３６】
このように水浸入し難い構成とした場合であっても、操作パネル１１２とインストメントパネル３００の接触部分３５０から浸入した水滴が、操作パネル１１２の側壁２１１に沿って、第２接合部４１２に到達し、第１接合壁部２１２と第２接合壁部３１２との面接触している僅かな隙間を毛細管現象により水が這い上がってくることにより、ハウジング１１１内に水が浸入する可能性がある。そのため、本実施形態では、操作パネル１１２の側壁２１１を伝って、第２接合部４１２に到達した場合であっても、第２接合部４１２に所定の空間を形成する外側隙間部３１３を設けることによって、第１接合壁部２１２と第２接合壁部３１２との面接触している僅かな隙間を水が毛細管現象で這い上がる事態を阻止する構成となっている。さらに、外側隙間部３１３に水が溜まり、第１接合壁部２１２と第２接合壁部３１２との間を毛細管現象により、水が這い上がってきた場合でも、第１接合部４１３に所定の空間を形成する内側隙間部２１３を設けているので、水の這い上がりは阻止され、ハウジング１１１内への水の浸入を確実に阻止することができる。したがって、本実施形態のように操作パネル１１２とハウジング１１１の内外側壁面に形成される第１接合部４１３及び第２接合部４１２に各々隙間部２１３、３１３を設ける簡単な構成で、防水性を一層向上することができる。
【００３７】
また、各々対向する一面側を切り欠いた第１段部２１２ａを有する第１接合壁部２１２と、第２段部３１２ａを有する第２接合壁部３１２を嵌合するようにしているため、接合部が幅方向に膨出することはなく、コントロール操作装置１０の大型化を防止することができる。
【００３８】
さらに、操作パネル１１２の側壁２１１の外面部２１１ａとハウジング１１１の側壁３１１の外面部３１１ａとが面一となるように第１段部２１２ａと第２段部３１２ａを構成することが好ましい。このように構成することによって、コントロール操作装置１０１の側面部を一定平面とすることができるので、インストメントパネル３００の操作パネル取付口３０１をコントロール操作装置１０１の外形にあわせて特別な形状とする必要がない。また、インストメントパネル３００の操作パネル取付口３０１をコントロール操作装置１０１のハウジング１１１の幅に合わせて形成することができるので、操作パネル取付口３０１とコントロール操作装置１０１の側面部との隙間を小さくすることができる。
【００３９】
また、第２の実施形態として、図６に示すように、第２段部３１２ａを操作パネル１１２の組付方向にしたがって操作パネル１１２の内面側からハウジング１１１の外面側に向かって傾斜する傾斜部３１２ｃとして形成してもよい。このように形成することによって、インストメントパネル３００側から流れてきた水滴が第２段部３１２ａに引っ掛かって溜まることを防止することができるため、毛細管現象が発生する可能性が低くなり、さらに防水性を向上することができる。
【００４０】
さらに、第３の実施形態として、図７に示すように傾斜部３１２ｃの一部にハウジング１１１の側壁３１１の外面部３１１ａと面一となるリブ３１２ｄを設けてもよい。このように構成することによって、インストメントパネル３００にコントロール操作装置１０１を取り付けるときに、操作パネル１１２の第１接合壁部２１２の先端部２１２ｂがインストメントパネル３００の操作パネル取付口３０１の開口縁に引っ掛かることを防止することができる。図８に示すように所定間隔で複数設ければ、防水性を低下することなく、取付時の引っ掛かりを確実に防止することができる。
【００４１】
なお、本発明のコントロール操作装置の防水構造は、前記の実施形態の構成に限定されるものではなく、種々の変更が可能である。また、上記実施例では自動車等の車両室内に取り付けられるコントロール操作装置で説明したが、それに限定されるものではなく、コントロールパネルに取り付けられるコントロール操作装置の防水構造として採用することができる。
【図面の簡単な説明】
【００４２】
【図１】本発明に係るコントロール操作装置を示す外観斜視図である。
【図２】本発明に係るコントロール操作装置の分解斜視図である。
【図３】インストメントパネルに取り付けられた状態における温度調節用の操作ノブを有する回転操作部材が配設された本発明に係るコントロール操作装置の一側面側の一部断面図である。
【図４】図３における操作パネルとハウジングとの組付方向の位置決め構造に係る部分の拡大図である。である。
【図５】（ａ）は、図３におけるコントロール操作装置１０１の操作パネル１１２とハウジング１１１を嵌合させた状態の接合部を拡大して示す一部断面図、（ｂ）は操作パネル１１２とハウジング１１１を嵌合させる前の状態を示す一部断面図である。
【図６】第２の実施形態を示すコントロール操作装置の操作パネルとハウジングの接合部を拡大して示す一部断面図である。
【図７】第３の実施形態を示すハウジングの一部を拡大して示す斜視図である。
【図８】第３の実施形態を示すハウジングの斜視図である。
【符号の説明】
【００４３】
１０１…コントロール操作装置
１１１…ハウジング
１１１ａ…収容部
１１１ｂ…台座部（固定部）
１１１ｃ…ネジ孔（固定部）
１１２…操作パネル
１１２ａ…開口部
１１２ｂ…ネジ止め部（固定部）
１１３…意匠面
１１７…ボリュームスイッチ（制御機器）
１５１、１９１…操作部材
２１２…第１接合壁部
２１２ａ…第１段部
２１２ｂ…先端部
２１３…内側隙間部
３１２…第２接合壁部
３１２ａ…第２段部
３１２ｂ…先端部
３１２ｃ…傾斜部
３１２ｄ…ガイドリブ
３１３…外側隙間部
４１２…第２接合部
４１３…第１接合部
２００…回路基板
４００…ファンスイッチ（制御機器）
【図１】
2010126006.tif 000003
【図２】
2010126006.tif 000004
【図３】
2010126006.tif 000005
【図４】
2010126006.tif 000006
【図５】
2010126006.tif 000007
【図６】
2010126006.tif 000008
【図７】
2010126006.tif 000009
【図８】
2010126006.tif 000010